(57)【要約】【課題】仏壇本体内において、仏飯器や茶台，香炉、燭台，花立て等を整然と載置させることができ、更に、仏壇本体内のスペースを有効的に使用することができる仏壇を提供する。【解決手段】仏壇本体１と、この仏壇本体に安置物や仏具ｂなどを供える受体２と、この受体の上部において安置物や仏具などを供える載置体３とを設けた仏壇Ａにあって、載置体は、仏壇本体の前縁部において、該仏壇本体の幅方向に対してその中間部を除いた両側に取り付けられており、この載置体は、摺動手段１２により仏壇本体の幅方向に対して仏壇本体の前縁部に沿って摺動自在に設けられる。【選択図】    図１
2005027906.tif 000002
【特許請求の範囲】
【請求項１】
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
この載置体は、前記仏壇本体の幅方向に対して該仏壇本体の前縁部に沿って摺動自在に設けられ、
前記仏壇本体の前縁部は、仏壇本体を構成する略水平状の板部材のうちの一つの前縁であることを特徴とする仏壇。
【請求項２】
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
この載置体は、前記仏壇本体の幅方向に対して仏壇本体の前縁部に沿って摺動自在に設けられ、
前記仏壇本体の前縁部は、仏壇本体を構成する略水平状の板部材のうちの一つの前縁であり、
前記載置体の外側部が、前記仏壇本体の幅寸法より外方へ張り出す位置か、
該載置体の外側部が、前記仏壇本体の外側端部と略一致する位置かこの外側端部より内側に移動する位置かを選択的に行うことを特徴とする仏壇。
【請求項３】
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
前記仏壇本体の前部における幅方向の中央部において、前記受体の上部で、前記両側の載置体の間に、前後方向へ進退自在の棚体を設けてなり、
この棚体は、前方へ引き出されたとき、前記受体上に突出し、後方へ押し込まれたとき、前記仏壇本体内に収納されることを特徴とする仏壇。
【発明の詳細な説明】
【技術分野】
【０００１】
本発明は、仏壇本体内において、電気ロウソク等の前記仏具における電気器具を整然と、かつ、収納自在に載置させることができる仏壇に関する。
【背景技術】
【０００２】
仏壇内には、仏飯器や茶台，香炉、燭台，花立て等の様々な仏具が収納され、勤行時には、これら仏具を所定の位置に配置していた。
【０００３】
しかしながら、昨今の住宅事情等により、室内に設置する仏壇は小型化されたものが一般的となり、それに相応して、この仏壇内の前記仏具などの載置スペースも一層狭められざるを得なかったもので、利用者にとってはその配置に苦慮されるものであった。
【０００４】
例えば、この仏壇の使用に当たっては、前扉を全開し、下段部に設けた引き出し式の経机を手前に引き出して、この経机上において、中央に香炉を置き、この香炉の両側に一対の燭台を配置して、ろうそくに点灯する。
更に、この経机の上部の棚に、花木を活けた花台を左右一対に備える。
後必要に応じて、仏飯器や茶台を棚に並べ設ける。
【０００５】
また、勤行を終えれば、これら仏具を仏壇内に、前扉を閉めたとき邪魔にならない位置にしまわなければならない。
【０００６】
従来の仏壇は、前記したように仏壇自体がコンパクトに製作されているため、奥行き寸法はもちろんのこと、幅寸法にも十分なゆとりがなく、仏飯器や茶台，香炉、燭台，花立て等の様々な仏具は、限られた仏壇内のスペースにかたまった状態で配置せざるを得ず、厨子を開けたり、過去帳等を取ったりするなどの細かな動作に、不都合を感ずると共に、これら花台や燭台に身体が触れて、これら仏具が転倒等の事故が発生する。等の問題点を有するものであった。
【発明の開示】
【発明が解決しようとする課題】
【０００７】
本発明は前記した問題点を解決するためになされたもので、仏壇本体と、この仏壇本体に安置物や仏具などを供える受体と、この受体の上部において安置物や仏具などを供える載置体とを設けた仏壇にあって、載置体は、仏壇本体の前縁部において、該仏壇本体の幅方向に対してその中間部を除いた両側に取り付けられており、この載置体は、仏壇本体の幅方向に対して仏壇本体の前縁部に沿って摺動自在に設けられることにより、仏壇本体内において、仏飯器や茶台，香炉、燭台，花立て等を整然と載置させることができ、更に、仏壇本体内のスペースを有効的に使用することができる仏壇を提供することを目的としている。
【課題を解決するための手段】
【０００８】
前記した目的を達成するための本発明の手段は、
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
この載置体は、前記仏壇本体の幅方向に対して該仏壇本体の前縁部に沿って摺動自在に設けられ、
前記仏壇本体の前縁部は、仏壇本体を構成する略水平状の板部材のうちの一つの前縁である仏壇の構成にある。
【０００９】
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
この載置体は、摺動手段により前記仏壇本体の幅方向に対して仏壇本体の前縁部に沿って摺動自在に設けられ、
前記仏壇本体の前縁部は、仏壇本体を構成する略水平状の板部材のうちの一つの前縁であり、
前記載置体の外側部が、前記仏壇本体の幅寸法より外方へ張り出す位置か、
該載置体の外側部が、前記仏壇本体の外側端部と略一致する位置かこの外側端部より内側に移動する位置かを選択的に行う仏壇の構成にある。
【００１０】
仏壇本体と、この仏壇本体に安置物や仏具などを供える受体と、この受体の上部において安置物や仏具などを供える載置体とを設けた仏壇にあって、
前記載置体は、前記仏壇本体の前縁部において、該仏壇本体の幅方向に対してその中間部を除いた両側に取り付けられており、
前記仏壇本体の前部における幅方向の中央部において、前記受体の上部で、前記両側の載置体の間に、前後方向へ進退自在の棚体を設けてなり、
この棚体は、前方へ引き出されたとき、前記受体上に突出し、後方へ押し込まれたとき、前記仏壇本体内に収納されることを特徴とする仏壇の構成にある。
【発明の効果】
【００１１】
本発明の仏壇は、仏壇本体の開口を有効的に利用できると共に、載置体を、仏壇本体の側方へ移動させることで、一層仏具の載置位置が広がり、仏壇本体の開口がゆったりして仏壇としての荘厳性が得られる。格別な効果を奏するものである。
【発明を実施するための最良の形態】
【００１２】
次に本発明に関する仏壇の一実施例を図面に基づいて説明する。
図１および図８においてＡは第一実施例の仏壇で、仏壇本体１と、この仏壇本体１に安置物や仏具ｂ等を載置する受体２と、この受体２の上部において安置物や仏具ｂなどを供える載置体３を設けてある。
そして、仏壇本体１の前側における開口部には、観音開き状に開閉操作する左右一対の前扉体４，４をそれぞれ取り付けてある。
なお、この仏壇Ａは、例えば、図１に示すように、厨子調式のものを示してあって、仏壇本体１にあって、厨子本体１Ｄと、その下部の台本体１Ｅとが分割された形態のものであるが、図８に示すような、家具調式のものであってもよく、その仏壇の形態や種類は限定されない。
【００１３】
前記した仏壇本体１は、図１に示す厨子調式の仏壇Ａの場合にあっては、天板ｃと底板ｄ，両側板ｅ．ｆ，背板ｇにより箱形に形成されて、その前部に開口１ａを有するもので、厨子本体１Ｄの内部に安置物などを納める厨子５等が設けられる。
また、図８に示すような、家具調式の仏壇Ａにあっては、その仏壇本体１の内部に、仏飯器や茶台，香炉、花立て等の仏具等を載置する受棚６や安置物を納める厨子５等が設けられる。
【００１４】
前記した受体２は、その上部に、ロウソク立てや香炉，見台などの仏具ｂを載置するもので、図１に示すような、厨子調式の仏壇Ａにあっては、仏壇本体１における台本体１Ｅに設けられている。
また、図８に示すような、家具調式の仏壇Ａにあっては、両側板ｅ．ｆ内に納まる幅寸法を有しており、また、奥行きも、前扉体４，４を閉めたとき、該受体２の前縁がこの前扉体４，４に当たらない程度の奥行き寸法を有している。
なお、この家具調式の仏壇Ａにあって、両側板ｅおよびｆは、仏壇本体１における前後方向へ摺動可能に設けることにより、例え、両側板ｅ．ｆが前方に対してこの載置体３を覆うように張り出していても、この後記する載置体３が側方へ移動したとき干渉しないようになる。
【００１５】
この受体２は、図２〜図５に示すように、その下側に、底板ｄ部に設けた前後ガイド７に沿って移動する収容体８の上部開口部に取り付けてあるもので、仏壇本体１内からその外側へ所定寸法が出し入れ自在となる。
そのため、勤行時などには、図３および図４に示すように、この前後ガイド７に沿って開口１ａから収容体８を引き出すと、この収容体８と共に受体２が一体的に手前側に移動する。また、仏壇Ａを使用しないときは、図５に示すように、前後ガイド７に沿って収容体８を開口１ａ内へ押し込むと、該開口１ａ内に、あるいは、図８に示すような家具調式仏壇Ａの場合には、前扉体４，４の内側に納まる。
この収容体８は、経机としても使用できるもので、その中間部に、いくつかの引き出し９やリン（図示せず）の収納部１０などを付設してある。更に、図示してないが、箱形に形成される以外にも、単なる枠状や他の任意な形状が採用される。同様に、受体２は、この収容体８に使用されることなく、仏壇本体１（厨子式の仏壇Ａにあっては、仏壇本体１における台本体１Ｄ）へ支持される形態も用いられる。
【００１６】
前記した載置体３は、受体２の上部、すなわち、開口１ａの上部において安置物や仏具ｂなどを供えるもので、特には、花器ｂを載置することが好ましい。
この載置体３は、仏壇本体１の前縁部において、この仏壇本体１の幅方向に対してその中間部を除いた両側に、すなわち、左右一対でかつ対称的な位置となるように取り付けられている。
また、仏壇本体１の前縁部とは、仏壇本体１を構成する略水平状の板部材のうちの一つの前縁であって、たとえば、図１に示すような、厨子調式仏壇Ａの場合には、仏壇本体１における台本体１Ｅの上板１１（仏壇本体１を構成する略水平状の板部材）の前縁部（上板１１面に対して略直角面を有する）に設けられる。
また、図８に示すような家具調式仏壇Ａの場合には、仏壇本体１における受棚６（仏壇本体１を構成する略水平状の板部材）の前縁部（上板１１面に対して略直角面を有する）に設けられる。
【００１７】
そして、この載置体３は、摺動手段１２により仏壇本体１の幅方向に対して、該仏壇本体１における前縁部前面と略平行となる方向へ摺動自在に設けられている。
該摺動手段１２は、例えば、図６および図７に示すように、仏壇本体１における台本体１Ｅの上板１１あるいは受棚６の前縁部に設けた摺動ガイド１３と、この摺動ガイド１３へ係合する摺動部材１４とからなる。
また、この摺動部材１４の両端部において、載置体３の移動限を規制する外ストッパー１５および内ストッパー１６が設けられていて、仏壇本体１の幅方向に対して、その外方への移動限にあっては、外ストッパー１５が摺動ガイド１３の外端縁１３ａに当接し、仏壇本体１の幅方向に対して、その内方への移動限にあっては、内ストッパー１６が摺動ガイド１３の外端縁１３ｂに当接することで、それぞれ載置体３の移動限が規制されてこの載置体３の位置決めがなされる。
【００１８】
この摺動手段１２は、前記例示的に挙げた摺動ガイド１３と摺動部材１４との係合する構成以外にも、載置体３が仏壇本体１における前縁部前面と略平行となる方向へ摺動自在とさせることができる構成のものであれば、任意の手段が用いられるものである。
また、前記手段は、単なる手動式による例を示したが、ハンドル操作による移動運動、あるいは、自動化させたモータなどによる電動作動や流体シリンダによる往復移動させてもよい。
【００１９】
更に、この載置体３は、前記摺動手段１２により上下方向への荷重を支承されるものであるが、必要に応じて、仏壇本体１の両側における枠板１７，１８の上縁部に、該載置体３の下面部を支承させてもよい。
【００２０】
そして、載置体３の摺動移動にあって、この載置体３の外側部３ａが、図４に示すように、仏壇本体１の幅寸法より外方へ張り出す位置か、該載置体３の外側部３ａが、図３に示すように、仏壇本体１の外側端部１ｃと略一致する位置、あるいは、仏壇本体１の外側端部１ｃより内側に移動する位置かを選択的に行うものである。
いずれの場合にあっても、仏壇本体１における前縁部において、左右一対に設けられた載置体３，３の内側部３ｂ，３ｂとの間には、すなわち、前記前縁部における中央部には、内側にえぐれる逃がし凹部１９が設けられている。
この逃がし凹部１９は、受体２を一体的に取り付けた収容体８を、その引き出し位置から収納位置へ移動させるとき、受体２上へ載置した背の高い仏具、例えば、ロウソク立てや花器などの仏具ｂを、図３に示すように、該逃がし凹部１９内へ納まるように中程へ移動させることで、これらロウソク立てや花器などの仏具ｂが載置体３，３に当たることなく受体２上へ載置状態で保持される。
【００２１】
更に、この載置体３，３にあって、上板１１や受棚６などからなる仏壇本体１を構成する略水平状の板部材への取り付けは、該仏壇本体１の前縁部が幅方向（横方向）に対して略平行に摺動手段１２により摺動移動するだけではなく、図１５（ａ）に示すように、仏壇本体１の幅方向（横方向）に対して、側方へ移動するに連れて載置体３，３の外端部３ａ，３ａが、前方へ向かって摺動手段１２により繰り出されるように、すなわち、仏壇本体１の前縁部における摺動面が斜めとなる所定角度ｙに形成された構成であっても構わない。
また、この側方へ摺動手段１２により移動するに連れて載置体３，３の外端部３ａ，３ａが、前方へ向かって繰り出されるように設けられた載置体３，３は、前記したように、摺動面が直線状に斜めに形成される以外にも、図１５（ｂ）に示すように、この摺動面が円弧状に形成させても同様の作用効果を奏する。
これにより、この載置体３，３上に載置された花器などの仏具ｂは、仏壇本体１の幅方向における外側方へ繰り出されると共に、手前側にも繰り出されるため、その展開の趣が多様化されてる。
【００２２】
また、前記した摺動手段１２により仏壇本体１の幅方向に対して該仏壇本体１の前縁部に沿って摺動自在に設けられ載置体３，３は、仏壇本体１の幅方向（横方向）に対して、および高さ方向に対しても摺動手段１２により二次元的に移動させることもできるもので、例えば、図１６（ａ）に示すように（片側の載置体３のみを示す）、上板１１や受棚６の前縁部に取り付けられた載置体３を、摺動手段１２により作動させると、載置体３を外方へ展開させるときは、摺動手段１２により該載置体３の外側部３ａが、仏壇本体１の外側端部１ｃと略一致する位置から、この載置体３の外側部３ａが、仏壇本体１の幅寸法より外方へ張り出す位置に、かつ、元の位置から下方へ下がる位置に移動させることができる。載置体３の収納時は、摺動手段１２により該載置体３の外側部３ａが、仏壇本体１の幅寸法より外方へ張り出す位置から、この外側端部１ｃより内側に移動する位置に、かつ、前記した張り出した位置から上方へ上がる位置に対応させることができる。
これにより、載置体３に載置した花器などの仏具ｂの背丈が比較的高い場合に、仏壇本体１の正面とのバランスを取ることができる。
【００２３】
更に、前記構成とは逆に、図１６（ｂ）に示すように（片側の載置体３のみを示す）、上板１１や受棚６の前縁部に取り付けられた載置体３を、摺動手段１２により作動させると、載置体３を外方へ展開させるときは、摺動手段１２により該載置体３の外側部３ａが、仏壇本体１の外側端部１ｃと略一致する位置から、この載置体３の外側部３ａが、仏壇本体１の幅寸法より外方へ張り出す位置に、かつ、元の位置から上方へ上がる位置に移動させることができる。載置体３の収納時は、摺動手段１２により該載置体３の外側部３ａが、仏壇本体１の幅寸法より外方へ張り出す位置から、この外側端部１ｃより内側に移動する位置に、かつ、前記張り出した位置から下方へ下がる位置に対応させることができる。
これにより、載置体３に載置した花器などの仏具ｂの背丈が比較的低い場合に、仏壇本体１の正面とのバランスを取ることができる。
【００２４】
したがって、前記のように構成される本発明に係る第一の実施例の仏壇Ａは、以下に述べる作用を奏する。なお、この例にあっては、図１等に示す厨子調式仏壇Ａについて示す。
まず、仏壇Ａの使用に当たっては、仏壇本体１における厨子本体１Ｄに設けられた前扉体４，４を全開する。
そして、図５に示すような、収容体８の収納状態から、仏壇本体１における台本体１Ｅに設けられた収容体８を、図３に示すように、手前側に引き出すと、この収容体８の一体的に設けられた受体２も同時に手前側に移動することで、この収容体８は、経机となる。
【００２５】
そして、受体２上に載置されたロウソク立てなどの仏具ｂを、図４に示すように、この受体２の両隅適所へ移し替える。また、必要に応じて、香炉などの仏具ｂもこの受体２上の所定の位置に移動させる、更には、過去帳などを立て掛ける見台などの仏具ｂも香炉などの仏具ｂの後側へ載置する。
【００２６】
更に、仏壇本体１における前縁部に設けられた載置体３，３を、図５および図３に示す位置から、摺動手段１２により、図４に示すように、仏壇本体１の幅寸法より外方へ張り出す位置に移動させると、該載置体３，３は仏壇本体１に対してその両側部へ大きく広がった状態となる。
したがって、この載置体３，３上へ花器などの仏具ｂを載置すると、コンパクトとなっていた仏壇Ａが、幅方向に広がった荘厳さが具現される。
【００２７】
また、仏壇本体１における前縁部において、左右一対に設けられた載置体３，３の内側部３ｂ，３ｂとの間によって形成される、すなわち、前記前縁部における中央部のえぐれる逃がし凹部１９が、一層大きなスペースとなり、これに伴って、受体２上の仏具ｂや供物などの載置スペースも更に広くなる。
なお、載置体３，３と収容体８の移動操作は、取り立てて決められた順番はないもので、仏具ｂ等の載置が容易にかつ簡便に行える手順であれば、これらが逆あるいは動作順番がずれても構わない。
【００２８】
そのため、仏壇本体１の前面部が大きく広がって、ゆったりした気持ちで勤行に臨むことができる。
【００２９】
勤行を終えれば、受体２上の見台などの仏具ｂを仏壇本体１の他の箇所へ移動させ、図３に示すように、受体２上の香炉などの仏具ｂを該受体２の前側中央部に片寄せし、ロウソク立てなどの仏具ｂを香炉などの仏具ｂの傍へ移動させる。
【００３０】
また、仏壇本体１の両側部へ広がった載置体３，３も、摺動手段１２により、該仏壇本体１の幅方向内側へ移動させると、この載置体３，３は仏壇本体１の幅寸法に納まる位置に復元される。
この状態で、受体２を取り付けた収容体８を仏壇本体１の内側へ押し込むと、
該収容体８は前後ガイド７に沿って移動して、図５に示すように、仏壇本体１内に納まる。また、仏壇本体１における厨子本体１Ｄに設けられた前扉体４，４を全閉する。
【００３１】
これにより、仏壇Ａは、再びコンパクトな形態に戻って、部屋のスペースを必要以上に取ることがなく、しかも、大きな仏壇Ａを載置するのに十分なスペースが取れない部屋であっても、本発明実施例仏壇Ａを用いることにより、大きな仏壇Ａと同様なゆったりとした勤行状態が得られる。
【００３２】
次に、本発明に係る第二の実施例の仏壇Ａを、図９〜図１４に基づいて説明するもので、この例は、仏壇本体１と、この仏壇本体１に安置物や仏具ｂなどを供える受体２と、この受体２の上部において安置物や仏具ｂなどを供える載置体３，３とを設けた仏壇にあって、載置体３，３は、仏壇本体１の前縁部において、該仏壇本体１の幅方向に対してその中間部を除いた両側に取り付けられており、仏壇本体１の前部における幅方向の中央部において、受体２の上部で、前記両側の載置体３，３の間に、前後方向へ進退自在の棚体３０を設けてなり、この棚体３０は、仏壇本体１に対して前方へ引き出されたとき、受体２上に突出し、仏壇本体１に対して後方へ押し込まれたとき、仏壇本体１内に収納される構成のものである。また、本実施例は、図１に示すような厨子調式仏壇Ａであっても、図８に示すような家具調式仏壇Ａであっても採用される。
【００３３】
なお、仏壇本体１と、受体２と、載置体３，３とは前記した第一実施例において示した仏壇本体１、受体２、載置体３，３と同様に構成されるため、その詳細な説明は省略し、同一部材には同一符号を付してその詳細な説明は第一実施例のものを援用する。
【００３４】
前記した棚体３０は、仏壇本体１の前縁部において、すなわち、前記前縁部における中央部の逃がし凹部１９にあって、この逃がし凹部１９に対して、出し入れ手段３１により、図９，図１０に示すように、引き出した状態や、図１１に示すように、押し込んだ状態となるように出没自在に設けられている。
また、棚体３０の上面は、見台やなどの仏具ｂやお供物など適宜なものが載置される平面形状となっている。
【００３５】
前記した出し入れ手段３１は、例えば、図１０に示すように、仏壇本体１の前縁部に設けた横溝状の引き出しガイド３２へ棚体３０を挿嵌させてあるもので、この棚体３０の後端部に、該棚体３０の引き出し限を規制させる後止め部材３３を付設し、該棚体３０の前端部に、該棚体３０の押し込み限を規制させると共に、仏具ｂの滑り落ちを防止する、および引き出し時の手掛けとなる前止め部材３４を付設してある。
また、該出し入れ手段３１は、この手段に限定されるものではなく、ハンドル操作による引き出し運動、あるいは、自動化させたモータなどによる電動作動や流体シリンダによる引き出し移動させてもよい。
【００３６】
また、この棚体３０の取付位置にあっては、必ずしも、仏壇本体１の前縁部に限定されるものではなく、仏壇本体１にあって、受体２上に載置する仏具ｂなどに邪魔とならない箇所であれば任意の箇所が選定し得るもので、例えば、図１２に示すように、厨子調式仏壇Ａにあっては、仏壇本体１における台本体１Ｅの上板１１の下側や、家具調式仏壇Ａにあっては、受棚６の下側に設けることができる。
【００３７】
したがって、前記のように構成される本発明に係る第一の実施例の仏壇Ａは、以下に述べる作用を奏する。なお、載置体３，３および収容体８の基本的な作用は、前記した第一実施例と同様に奏されるため、この詳細な説明は第一実施例における作用の説明を援用して省略する。
勤行にあっては、図１３に示すように、載置体３，３、収容体８および棚体３０が移動しない収容された状態において、まず、収容体８を前後ガイド７に沿って手前側に引き、この受体２上の仏具ｂを所定位置に揃える。
【００３８】
また、載置体３，３を摺動手段１２により、図１４に示すように、仏壇本体１の幅方向側方へ移動させて、花器などの仏具ｂを載置する。
【００３９】
更に、図１４に示すように、棚体３０を出し入れ手段３１により、仏壇本体１に対して手前側に引き出すと、一対の載置体３，３の間に形成される仏壇本体１の前縁部における中央部の逃がし凹部１９に位置する。
この引き出された棚体３０には、見台などの仏具ｂを載置させることができるので、仏壇本体１に十分な仏具ｂの載置部が得られない仏壇Ａにあっては、効率的で必要な仏壇ｂの配置を行うことができる。
【００４０】
また、この棚体３０は、必ずしも、勤行時に、手前側に引き出して使用する必要はなく、例えば、見台などの仏具ｂの載置が要らない場合には、出し入れ手段３１により仏壇本体１側へ押し込むことにより、受体２上への張り出しがなくなり、この受体２上へ背丈の高い仏具ｂやお供物などを置くことができる。
なお、載置体３，３と収容体８と棚体３との移動操作は、取り立てて決められた順番はないもので、仏具ｂ等の載置が容易にかつ簡便に行える手順であれば、これらが逆あるいは順番がずれても構わない。
【００４１】
したがって、前記した第一実施例における載置体３，３と収容体８との摺動および進退操作による仏具ｂの載置位置の選択に合わせて、本実施例における棚体３の移動操作を組み合わせることで、本実施例仏壇Ａは、非使用時、コンパクトな形態で、部屋のスペースを必要以上に取ることがない。
しかも、使用時にあって、仏具ｂやお供物の載置に際して、大きな仏壇Ａを載置するのに十分なスペースが取れない部屋であっても、本発明実施例仏壇Ａを用いることにより、一層、大きな仏壇Ａと同様なゆったりとした勤行状態が得られる。
【図面の簡単な説明】
【００４２】
【図１】本発明に関する仏壇の第一の実施例を示す斜視図である。（厨子調式仏壇）
【図２】図１における仏壇の載置体部の要部を示す一部の正面図である。
【図３】図２における仏壇の一部を示す平面図である。
【図４】図２における仏壇の載置体および収容体が開いた状態を示す一部の平面図である。
【図５】図２における仏壇の載置体および収容体が閉じた状態を示す一部の平面図である。
【図６】図２における仏壇の載置体の摺動部の要部を示す一部の縦断側面図である。
【図７】図２における仏壇の載置体の摺動部の要部を示す一部の横断平面図である。
【図８】本発明に関する仏壇の第一の実施例を示す斜視図である。（家具調式仏壇）
【図９】本発明に関する仏壇の第一の実施例を示す要部の斜視図である。
【図１０】図９における仏壇の棚体部を縦断して示す要部の側面図である。
【図１１】図１０における仏壇の棚体が納まった状態を示す要部の縦断側面図である。
【図１２】図９における仏壇の棚体取り付けの他の例を示す要部の縦断側面図である。
【図１３】図９における仏壇の棚体が納まった状態を示す要部の平面図である。
【図１４】図９における仏壇の棚体が繰り出された状態を示す要部の平面図である。
【図１５】図１における仏壇の載置体の摺動する形態の他の例を示す要部の斜視図である。
【図１６】図１における仏壇の載置体の摺動する形態の更に他の例を示す要部の斜視図である。
【符号の説明】
【００４３】
Ａ…仏壇．ｂ…仏具．１…仏壇本体．２…受体．３…載置体．８…収容体．１２…摺動手段．３０…棚体
【図１】
2005027906.tif 000003
【図２】
2005027906.tif 000004
【図３】
2005027906.tif 000005
【図４】
2005027906.tif 000006
【図５】
2005027906.tif 000007
【図６】
2005027906.tif 000008
【図７】
2005027906.tif 000009
【図８】
2005027906.tif 000010
【図９】
2005027906.tif 000011
【図１０】
2005027906.tif 000012
【図１１】
2005027906.tif 000013
【図１２】
2005027906.tif 000014
【図１３】
2005027906.tif 000015
【図１４】
2005027906.tif 000016
【図１５】
2005027906.tif 000017
【図１６】
2005027906.tif 000018